(57)【要約】【課題】部品点数の増加を招くことなく、複数の分割コア片の組み付けとコイル導線の引き回しを容易に行うことのできる回転電機のステータの組み付け方法を提供する。【解決手段】一つ目の分割コア片８−１に中性点側の引き出し部５Ｄｎの引き出し位置と、給電側の引き出し部５Ｄｕの引き出し位置を設定する。一つ目の分割コア片８−１に対して、コイル導線５の巻回と、給電側の引き出し部５Ｄｕの引き回しと、中性点側の引き出し部５Ｄｎの引き回しを行った後に、二つ目以降の分割コア片８−２，８−３…に対して、コイル導線５の巻回とともに、既にコイル導線５の巻回と引き回しを完了している分割片８−１等に跨る引き出し部５Ｄｎ（５Ｄｕ，５Ｄｖ，５Ｄｗ）の引き回しを行う。【選択図】図１３
2013110889.tif 000002
【特許請求の範囲】
【請求項１】
複数の分割コア片にそれぞれコイル導線を巻回し、前記複数の分割コア片を環状に組み付けるとともに、前記各分割コア片から引き出されたコイル導線の給電側の引き出し部を各相毎に一か所にまとめて引き出し、前記各分割コア片から引き出されたコイル導線の中性点側の引き出し部を一か所にまとめて引き出すステータの組み付け方法にであって、
前記各分割コア片のステータの径方向内側に相当する領域にコイル巻回部を設けるとともに、前記各分割コア片のステータの径方向外側に相当する領域に、前記ステータの組み付け完了時に環状の溝を成す各相毎の給電側の導線案内溝と、前記ステータの組み付け完了時に環状の溝を成す中性点側の導線案内溝と、を設け、
一つ目の分割コア片のコイル巻回部にコイル導線を巻回して、そのコイル導線の中性点側の引き出し部を同じ分割コア片上の中性点側の導線案内溝内から径方向外側に屈曲させて引き出すとともに、そのコイル導線の給電側の引き出し部を同じ分割コア片上の対応する相の給電側の導線案内溝内から径方向外側に屈曲させて引き出し、
二つ目以降の分割コイル片については、作業を行う分割コア片のコイル巻回部にコイル導線を巻回して、その分割コア片を、先にコイル導線の巻回と引き出しを完了している別の分割コイル片に隣接させて配置することを特徴とする回転電機のステータの組み付け方法。
【請求項２】
前記二つ目以降の分割コイル片に巻回したコイル導線の中性点側の引き出し部の引き回しについては、
当該作業を行う分割コア片に巻回したコイル導線の中性点側の引き出し部を、当該作業を行う分割コア片と一つ目の分割コア片間の中性点側の導線案内溝に沿わせて一つ目の分割コア片上の引き出し位置まで引き回し、その引き出し部を一つ目の分割コア片上の引き出し位置で、前記一つ目の分割コア片側のコイル導線の中性点側の引き出し部の屈曲引き出し部分に沿わせて径方向外側に屈曲させて引き出すことを特徴とする請求項１に記載の回転電機のステータの組み付け方法。
【請求項３】
前記ステータはｎ相のステータであり、
各相のコイル導線の給電側の引き出し部の引き出し位置は、前記一つ目の分割コア片から、当該一つ目の分割コア片から数えてｎ個目までの分割コア片のうちのいずれかの分割コア片上の対応する相の導線案内溝内に設定し、
前記二つ目以降の分割コイル片に巻回したコイル導線の給電側の引き出し部の引き回しについては、
当該作業を行う分割コア片に巻回したコイル導線の給電側の引き出し部を、前記ｎ個目までの分割コア片のうちのいずれかの分割コア片上の前記引き出し位置までその間の導線案内溝に沿わせて引き回し、その引き出し部を、当該引き出し位置で径方向外側に屈曲させて引き出すことを特徴とする請求項２に記載の回転電機のステータの組み付け方法。
【請求項４】
各分割コア片に巻回したコイル導線の中性点側の引き出し部は、中性点側の導線案内溝の成す環状の溝上での引き回し長さが短くなる向きで中性点側の導線案内溝内を引き回すことを特徴とする請求項１〜３いずれか１項に記載の回転電機のステータの組み付け方法。
【請求項５】
前記コイル導線は、平角線によって構成されていることを特徴とする請求項１〜４のいずれか１項に記載の回転電機のステータの組み付け方法。
【発明の詳細な説明】
【技術分野】
【０００１】
この発明は、車両駆動や回生発電等に用いられる回転電機のステータの組み付け方法に関し、とりわけ、環状のステータに複数のコイル巻線が巻回される回転電機のステータの組み付け方法に関するものである。
【背景技術】
【０００２】
この種のステータの組み付け方法として、環状のステータコアに、コイル導線の巻回される複数のコイル巻回部と、各コイル巻回部から引き出されたコイル導線の引き出し部を係止する係り止め部を設けておき、各コイル巻線部に順次コイル導線を巻回するとともに、各コイル導線の給電側と中性点側の各引き出し部を適宜係り止め部に巻き付けてステータ上の所定の位置から外部に引き出すものが知られている（例えば、特許文献１参照）。
【先行技術文献】
【特許文献】
【０００３】
【特許文献１】特許第４２７５４５８号公報
【発明の概要】
【発明が解決しようとする課題】
【０００４】
しかし、上記従来のステータの組み付け方法においては、ステータコアにコイル導線の引き出し部を巻き付けるための係り止め部を設ける必要があり、部品点数が増加する不具合がある。
【０００５】
また、上記従来のステータの組み付け方法では、各コイル巻回部にコイル導線を巻回した後に係り止め部にコイル導線の引き出し部を巻き付ける必要があり、引き出し部の引き回し作業が煩雑になる。特に、コイル導線の巻回作業を容易にし、占積率を高めるためにステータコアを複数の分割コア片によって構成する場合には、分割コア片同士を組み付けながら各コイル導線の引き出し部を引き回さなければならず、極めて煩雑な作業を強いられることになる。
【０００６】
そこでこの発明は、部品点数の増加を招くことなく、複数の分割コア片の組み付けとコイル導線の引き回しを容易に行うことのできる回転電機のステータの組み付け方法を提供しようとするものである。
【課題を解決するための手段】
【０００７】
この発明に係る回転電機のステータの組み付け方法では、上記課題を解決するために以下の構成を採用した。
請求項１に係る発明は、複数の分割コア片（例えば、実施形態の分割コア片８）にそれぞれコイル導線（例えば、実施形態のコイル導線５）を巻回し、前記複数の分割コア片を環状に組み付けるとともに、前記各分割コア片から引き出されたコイル導線の給電側の引き出し部（例えば、実施形態の引き出し部５Ｄｕ，５Ｄｖ，５Ｄｗ）を各相毎に一か所にまとめて引き出し、前記各分割コア片から引き出されたコイル導線の中性点側の引き出し部（例えば、実施形態の５Ｄｎ）を一か所にまとめて引き出すステータの組み付け方法であって、前記各分割コア片のステータの径方向内側に相当する領域にコイル巻回部（例えば、実施形態のコイル巻回部１０ａ）を設けるとともに、前記各分割コア片のステータの径方向外側に相当する領域に、前記ステータの組み付け完了時に環状の溝を成す各相毎の給電側の導線案内溝（例えば、実施形態の案内溝１５ｕ，１５ｖ，１５ｗ）と、前記ステータの組み付け完了時に環状の溝を成す中性点側の導線案内溝（例えば、実施形態の案内溝１５ｎ）と、を設け、一つ目の分割コア片のコイル巻回部にコイル導線を巻回して、そのコイル導線の中性点側の引き出し部を同じ分割コア片上の中性点側の導線案内溝内から径方向外側に屈曲させて引き出すとともに、そのコイル導線の給電側の引き出し部を同じ分割コア片上の対応する相の給電側の導線案内溝内から径方向外側に屈曲させて引き出し、二つ目以降の分割コイル片については、作業を行う分割コア片のコイル巻回部にコイル導線を巻回して、その分割コア片を、先にコイル導線の巻回と引き出しを完了している別の分割コイル片に隣接させて配置することを特徴とするものである。
これにより、一つ目の分割コア片に巻回されたコイル導線は、中性点側の引き出し部と給電側の引き出し部が、同じ分割コア片上の導線案内溝内の引き出し位置において、径方向外側に屈曲されて引き出される。このとき、一つ目の分割コア片上のコイル導線は、中性点側の引き出し部と給電側の引き出し部が対応する導線案内溝内でくせづけされる。
【０００８】
請求項２に係る発明は、請求項１に係る回転電機のステータの組み付け方法において、前記二つ目以降の分割コイル片に巻回したコイル導線の中性点側の引き出し部の引き回しについては、当該作業を行う分割コア片に巻回したコイル導線の中性点側の引き出し部を、当該作業を行う分割コア片と一つ目の分割コア片間の中性点側の導線案内溝に沿わせて一つ目の分割コア片上の引き出し位置まで引き回し、その引き出し部を一つ目の分割コア片上の引き出し位置で、前記一つ目の分割コア片側のコイル導線の中性点側の引き出し部の屈曲引き出し部分に沿わせて径方向外側に屈曲させて引き出すことを特徴とするものとするものである。
これにより、二つ目以降の分割コア片に巻回されたコイル導線は、中性点側の引き出し部が途中の導線案内溝を通して、一つ目の分割コア片上の引き出し位置で径方向外側に屈曲して引き出される。
【０００９】
請求項３に係る発明は、請求項２に係る回転電機のステータの組み付け方法において、前記ステータはｎ相のステータであり、各相のコイル導線の給電側の引き出し部の引き出し位置は、前記一つ目の分割コア片から、当該一つ目の分割コア片から数えてｎ個目までの分割コア片のうちのいずれかの分割コア片上の対応する相の導線案内溝内に設定し、前記二つ目以降の分割コイル片に巻回したコイル導線の給電側の引き出し部の引き回しについては、当該作業を行う分割コア片に巻回したコイル導線の給電側の引き出し部を、前記ｎ個目までの分割コア片のうちのいずれかの分割コア片上の前記引き出し位置までその間の導線案内溝に沿わせて引き回し、その引き出し部を、当該引き出し位置で径方向外側に屈曲させて引き出すことを特徴とするものである。
これにより、二つ目以降の分割コア片に巻回されたコイル導線は、給電側の引き出し部が、途中の対応する相の導線案内溝内を引き回され、前記ｎ個目までの分割コア片のうちのいずれかの分割コア片上の引き出し位置で、径方向外側に屈曲して引き出される。
【００１０】
請求項４に係る発明は、請求項１〜３のいずれか１項に係る回転電機のステータの組み付け方法において、各分割コア片に巻回したコイル導線の中性点側の引き出し部は、中性点側の導線案内溝の成す環状の溝上での引き回し長さが短くなる向きで中性点側の導線案内溝内を引き回すことを特徴とするものである。
【００１１】
請求項５に係る発明は、請求項１〜４のいずれか１項に係る回転電機のステータの組み付け方法において、前記コイル導線は、平角線によって構成されていることを特徴とするものである。
【発明の効果】
【００１２】
請求項１に係る発明によれば、一つ目の分割コア片に対するコイル導線の巻回と、そのコイル導線の給電側と中性点側の各引き出し部の所定位置からの引き出しを、同じ分割コア片上で単独で行った後に、二つ目以降の分割コア片の組み付けを行うため、部品点数の増加を招くことなく、複数の分割コア片の組み付けとコイル導線の引き回しを容易に行うことができる。
【００１３】
請求項２に係る発明によれば、二つ目以降の分割コア片に対してコイル導線の巻回を行った後に、そのコイル導線の中性点側の引き出し部を、既に巻回と引き回しを完了している他の分割コア片上の導線案内溝に跨らせるため、複数の分割コア片の組み付けとコイル導線の引き回しを容易に行うことができる。
【００１４】
請求項３に係る発明によれば、二つ目以降の分割コア片に対してコイル導線の巻回を行った後に、そのコイル導線の給電側の引き出し部を、既に巻回と引き回しを完了している他の分割コア片上の対応する相の導線案内溝に跨らせ、若しくは、跨らせずに作業を行っている分割コア片自身の導線案内溝のみを利用して引き回すことができるため、複数の分割コア片の組み付けとコイル導線の引き回しを容易に行うことができる。
【００１５】
請求項４に係る発明によれば、各コイル導線の中性点側の引き出し部が、中性点側の導線案内溝の成す環状の溝上での引き回し長さが短くなる向きで引き回されるため、各コイル導線の中性点側の引き出し部の重なりをより少なくすることができるとともに、引き出し部の長さも短くすることができる。
【００１６】
請求項５に係る発明によれば、コイル導線が平角線によって構成されているため、コイル導線を各分割コア片上のコイル巻回部や導線案内溝内に隙間なく効率良く配置することができるとともに、コイル導線の引き出し部を導線案内溝の内部から径方向外側に容易に、かつ正確に屈曲させることができる。
【図面の簡単な説明】
【００１７】
【図１】この発明の一実施形態の回転電機に組み込まれるステータの一部の斜視図である。
【図２】この発明の一実施形態のステータのステータコア単体の一部の斜視図である。
【図３】この発明の一実施形態のステータをハウジングに組み付けた状態を示す電動機の一部の正面図である。
【図４】この発明の一実施形態のステータコアの分割コア片を分解して示す斜視図である。
【図５】この発明の一実施形態の分割コア片のインシュレータの一部を示す斜視図である。
【図６】この発明の一実施形態のコイル導線を巻回した分割コア片の斜視図である。
【図７】この発明の一実施形態のインシュレータの図６のＡ−Ａ断面に対応する断面図である。
【図８】この発明の一実施形態のＵ相の給電側のコイル導線の引き回しを示すステータコアの模式的な部分断面正面図（Ａ）と、その一部を拡大した図（Ｂ）を併せて記載した図である。
【図９】この発明の一実施形態のＶ相の給電側のコイル導線の引き回しを示すステータコアの模式的な部分断面正面図（Ａ）と、その一部を拡大した図（Ｂ）を併せて記載した図である。
【図１０】この発明の一実施形態のＷ相の給電側のコイル導線の引き回しを示すステータコアの模式的な部分断面正面図（Ａ）と、その一部を拡大した図（Ｂ）を併せて記載した図である。
【図１１】この発明の一実施形態のＵ相，Ｖ相，Ｗ相の各相の中点側のコイル導線の引き回しを示すステータコアの模式的な部分断面正面図（Ａ）と、その一部を拡大した図（Ｂ）を併せて記載した図である。
【図１２】この発明の一実施形態のＵ相，Ｖ相，Ｗ相の各相のコイル導線全体の引き回しを示すステータコアの模式的な正面図である。
【図１３】この発明の一実施形態の分割コア片の組み付け方法を（Ａ）〜（Ｄ）に順に示す正面図である。
【図１４】この発明の一実施形態の分割コア片の組み付け順序を示すステータコアの正面図である。
【図１５】この発明の一実施形態のステータの正面図である。
【発明を実施するための形態】
【００１８】
以下、この発明の一実施形態を図面に基づいて説明する。
図１は、この実施形態の回転電機に組み込まれるステータ１を示す図であり、図２は、ステータ１のステータコア２の単体を示す図、図３は、ステータ１を端子台３とともにハウジング４に組み付けた状態を示す図である。
この実施形態の回転電機は、電気自動車やハイブリッド車両の車両駆動と回生発電に用いられる三相交流式の回転電機であり、円環状のステータ１の内側には、図示しないロータが回転可能に配置されている。ロータは減速機構等を介して車両の車軸に連結されている。
【００１９】
ステータ１は、複数のコイル導線５を突極集中巻きで実装した円環状のステータコア２と、そのステータコア２が圧入固定される略円筒状のホルダ６を備え、ステータコア２からホルダ６の径方向外側に引き出されたＵ相，Ｖ相，Ｗ相の各コイル導線５の給電側の端部に、それぞれ対応する相の給電端子７Ｕ，７Ｖ，７Ｗが接続されている。
この実施形態においては、コイル導線５は横長の矩形断面の平角線が採用されている。
【００２０】
ステータコア２は、正面視が略扇状の複数の分割コア片８が円環状に組み付けられて成り、各分割コア片８には、それぞれ個別にコイル導線５が巻回されている。分割コア片８に巻回された各コイル導線５の一端側は、各相毎にまとめられて対応する相の給電端子７Ｕ，７Ｖ，７Ｗに接続され、各コイル導線５の他端側はすべてが一箇所にまとめられて相互に電気的に接続されている。したがって、このステータコア２では、各相のコイル導線５がＹ字結線で接続されている。
なお、この実施形態では、分割コア片８は、Ｕ相用、Ｖ相用、Ｗ相用のもの合計１２個、各相４個ずつが、円周方向でＵ相，Ｖ相，Ｗ相の配列が繰り返されるように順に並んで配置されている。
【００２１】
図４は、分割コア片８の構成部品を示す分解斜視図である。
分割コア片８は、鋼板を複数枚積層して構成されたコア本体９と、コア本体９の周域に嵌合されてコア本体９を電気的に絶縁するインシュレータ１０と、を備えている。
【００２２】
コア本体９は、ステータコア２の外周側の円弧領域を形成するヨーク部９ａと、ヨーク部９ａの内周側からステータコア２の半径方向内側に向かって突出するティース部９ｂと、を有している。ヨーク部９ａは、円弧方向の一方の端面に凸部１１が形成され、他方の端面には凹部１２が形成されている。凸部１１と凹部１２は同サイズの半円形状に形成され、隣接する分割コア片８のヨーク部９ａ同士で凸部１１と凹部１２が相互に嵌合されるようになっている。また、ティース部９ｂは、突出方向の外周面にインシュレータ１０が嵌合され、そのインシュレータ１０を介して外周側にコイル導線５が巻回されるようになっている。
【００２３】
図５は、インシュレータ１０の一部を示す斜視図であり、図６は、コイル導線５を巻回した分割コア片８を示す斜視図であり、図７は、図６のＡ−Ａ断面に対応する断面図である。なお、図４も含め、分割コア片８を説明するためのこれらの図面において、矢印Ｃ，Ｒ，Ａｘは、それぞれステータコア２についての円周方向、半径方向、軸方向を示すものとする。
インシュレータ１０は、コア本体９のティース部９ｂに嵌合されて、その外周側にコイル導線５が巻回されるコイル巻回部１０ａと、コイル巻回部１０ａに巻回された各コイル導線５の始端側と終端側の引き出し部５Ｄｕ，５Ｄｖ，５Ｄｗ，５Ｄｎをステータコア２の円周方向に沿って円周上の所定位置まで引き回す導線案内部１０ｂと、を備えている。
【００２４】
インシュレータ１０のコイル巻回部１０ａは、コア本体９のティース部９ｂに嵌合される部分が、ティース部９ｂの周域で半割状に分割された二部品によって構成されている。ここで、この二部品のうちの一方を第１半割体１３と呼び、他方を第２半割体１４と呼ぶものとすると、前記の導線案内部１０ｂは、一方の部品である第１半割体１３に一体に形成されている。第１半割体１３と第２半割体１４には、ティース部９ｂの延出方向（Ｒ方向）に沿う両側部にそれぞれフランジ部１３ａ，１３ａ，１４ａ，１４ａが設けられ、これらの両側のフランジ部１３ａ，１３ａ，１４ａ，１４ａの間でコイル導線５が巻回されるようになっている。
【００２５】
一方、インシュレータ１０の導線案内部１０ｂは、コイル巻回部１０ａのＲ方向の一端側の、コア本体９のヨーク部９ａの円弧状の側面に重なる位置に一体ブロックとして形成されている。導線案内部１０ｂのブロックは、図示Ａｘ方向から見た平面視が略円弧状に形成され、ステータコア２の外周面に相当する面には、ステータコア２の円周方向（Ｃ方向）に沿う４つの案内溝１５ｎ，１５ｕ，１５ｖ，１５ｗが軸方向（Ａｘ方向）で４段になって形成されている。これらの案内溝１５ｎ，１５ｕ，１５ｖ，１５ｗは、すべての分割コア片８が円環状に組み付けられたときに、それぞれが４本の独立した円環状の溝を形成し、その各円環状の溝内に、各コイル導線５の引き出し部５Ｄｎ，５Ｄｕ，５Ｄｖ，５Ｄｗがそれぞれ引き回されるようになっている。
【００２６】
インシュレータ１０の案内溝１５ｎ，１５ｕ，１５ｖ，１５ｗの溝幅は、コイル導線５の断面の長辺側の長さとほぼ合致するように（長辺側の長さよりも僅かに大きく）設定されている。また、図７に示すように、案内溝１５ｕ，１５ｖ，１５ｗには、コイル導線５の給電側の引き出し部５Ｄｕ，５Ｄｖ，５Ｄｗが最大２本嵌入されるのに対し、案内溝１５ｎには、コイル導線５の中性点側の引き出し部５Ｄｎが最大６本嵌入されるため、案内溝１５ｎの深さは他の案内溝１５ｕ，１５ｖ，１５ｗに比較して深くなっている。
【００２７】
また、導線案内部１０ｂのブロックの円弧方向の一方の端面には、図４，図６に示すように、コイル巻回部１０ａ側から対応する案内溝１５ｎ内にコイル導線５の中性点側の端部（引き出し部５Ｄｎ）を引き出すための引き出し溝１６ｎが形成され、同ブロックの円弧方向の他方の端面には、図５に示すように、コイル巻回部１０ａ側から対応する案内溝１５ｕ，１５ｖ，１５ｗ内にコイル導線５の給電側の端部（引き出し部５Ｄｕ，５Ｄｖ，５Ｄｗ）を引き出すための引き出し溝１６ｕ，１６ｖ，１６ｗが形成されている。
なお、図４〜図６中の符号１７は、コイル巻回部１０ａから引き出されたコイル導線５の中性点側の端部（引き出し部５Ｄｎ）を引き出し溝１６ｎに案内するために、前記ブロックのコイル巻回部１０ａに臨む側の面に設けられた案内壁である。
【００２８】
図８は、ステータコア２上におけるＵ相の各コイル導線５の給電側の引き出し部５Ｄｕの引き回しを示す図である。
同図に示すように、Ｕ相用の４つの分割コア片８から引き出されたコイル導線５の引き出し部５Ｄｕは、インシュレータ１０の案内溝１５ｕに沿ってステータコア２の円周上の一箇所に引き回され、その箇所からステータコア２の径方向外側に突出するように折り曲げられている。こうして折り曲げられた引き出し部５Ｄｕの端部（接続端５Ｅｕ）は一つに束ねられてヒュージング処理によって対応するＵ相の給電端子７Ｕ（図１〜図３参照）に接続されている。
【００２９】
図９は、ステータコア２上におけるＶ相の各コイル導線５の給電側の引き出し部５Ｄｖの引き回しを示す図であり、図１０は、ステータコア２上におけるＷ相の各コイル導線５の給電側の引き出し部５Ｄｗの引き回しを示す図である。
これらの図に示すように、Ｖ相用とＷ相用の各４つの分割コア片８から引き出された引き出し部５Ｄｖ，５Ｄｗは、Ｕ相の引き出し部５Ｄｕと同様に、それぞれインシュレータ１０の案内溝１５ｖ，１５ｗに沿ってステータコア２の円周上の一箇所に引き回され、その箇所からステータコア２の径方向外側に突出するように折り曲げられている。Ｖ相，Ｗ相の各引き出し部５Ｄｖ，５Ｄｗの端部（接続端５Ｅｖ，５Ｅｗ）は、それぞれ一つに束ねられてヒュージング処理によって対応する給電端子７Ｖ，７Ｗ（図１〜図３参照）に接続されている。
【００３０】
図１１は、ステータコア２上におけるＵ相，Ｖ相，Ｗ相の各コイル導線５の中性点側の引き出し部５Ｄｎの引き回しを示す図である。
同図に示すように、すべての分割コア片８から引き出されたコイル導線５の中性点側の引き出し部５Ｄｎは、インシュレータ１０の案内溝１５ｎに沿ってステータコア２の円周上の一箇所に引き回され、その箇所からステータコア２の径方向外側に突出するように折り曲げられている。すべての中性点側の引き出し部５Ｄｎの端部は、ヒュージング処理によって相互に電気的に接続されるとともに物理的にも接続されている。こうして相互に接続された中性点側の引き出し部５Ｄｎの端部は中点連結部１８を構成している。
【００３１】
図１２は、ステータコア２上のすべてのコイル導線５の引き出し部５Ｄｕ，５Ｄｖ，５Ｄｗ，５Ｄｎの引き回しを併せて示す図である。
同図に示すように、Ｕ相，Ｖ相，Ｗ相の各接続端５Ｅｕ，５Ｅｖ，５Ｅｗと、中点連結部１８は、それぞれステータコア２の円周上の異なる位置から引き出されているが、これらはステータコア２の円周上の相互に近接する領域に配置されている。
具体的には、Ｕ相の接続端５Ｅｕは、ステータコア２の一つの分割コア片８−１の円周方向の一端側に配置され、中点連結部１８は、その同じ分割コア片８−１の円周方向の他端側に配置されている。そして、Ｖ相の接続端５Ｅｖは、分割コア片８−１の一端側に隣接する分割コア片８−２のＵ相の接続端５Ｅｕに近接する側の端部に配置され、Ｗ相の接続端５Ｅｗは、同じ分割コア片８−２のＵ相の接続端５Ｅｕと離間する側の端部に配置されている。つまり、この実施形態の場合、各接続端５Ｅｕ，５Ｅｖ，５Ｅｗと中点連結部１８は、隣接する２つの分割コア片８−１，８−２の径方向外側領域に集約して配置されている。
【００３２】
ところで、各インシュレータ１０の案内溝１５ｎに案内されてステータコア２上の一か所から引き出されるコイル導線５の中性点側の引き出し部５Ｄｎの端部は、各コイル導線５が平角線から成ることから、径方向外側に折り曲げた状態で、平坦な面同士で相互に面接触させることができる。中点連結部１８は、こうして複数の引き出し部５Ｄｎの端部を平坦な面同士で接触させて層状に重ねあわせ、その状態で複数の引き出し部５Ｄｎの端部が金属製の結束板１９（結束部材）とともにヒュージング処理されて構成されている。結束板１９は、複数の引き出し部５Ｄｎの端部の周域を抱持した状態において各引き出し部５Ｄｎに固着されている。
【００３３】
ところで、上記のように構成されたステータコア２は、図１，図３に示すように、円筒状のホルダ６に嵌合され、一体のステータ１としてハウジング４の内側に固定設置される。このハウジング４の内側には、ステータ１の外周面の一部に隣接するように、平面視が略円弧形状である端子台３が固定設置される。
【００３４】
端子台３は、全体が絶縁性の樹脂材料によって形成され、図３に示すように、ステータ１の軸心と略直交する円弧状のベース壁２２と、ベース壁２２の円弧形状の内周側を除く三方を取り囲む外側壁２３と、を備え、外側壁２３のないベース壁２２の内周側がステータ１の外周面に臨んでいる。したがって、端子台３は、ステータ１とともにハウジング４内に固定設置された状態において、ベース壁２２と外側壁２３とステータ１の外周面とに囲まれた凹状空間を形成する。
【００３５】
また、端子台３の外側壁２３の外側には、外部の給電線を接続するための図示しないコネクタが設置されている。コネクタのＵ，Ｖ，Ｗの三相の端子は、端子台３を貫通する図示しない三相のバスバー（金属プレート）を介してステータ１側の給電端子７Ｕ，７Ｖ，７Ｗと接続されるようになっている。各バスバーの一端は、凹状空間に臨むベース壁２２上に配置され、そのベース壁２２上において、対応する給電端子７Ｕ，７Ｖ，７Ｗとボルト締結されるようになっている。なお、図３中２４は、端子結合用のボルトである。
【００３６】
図３に示すように、給電端子７Ｕ，７Ｖ，７Ｗと各対応するバスバーとの締結部は、ベース壁２２の円弧方向に離間して配置されている。そして、ベース壁２２の円弧方向の一端側（図中下方側）の締結部に隣接する位置には、端子台３の固定部が設けられており、その固定部が締結部材であるボルト２５によってハウジング４に締結固定されるようになっている。
また、ベース壁２２上には、隣接する給電端子７Ｗ，７Ｖ，７Ｕの締結部間と、給電端子７Ｕの締結部とハウジング固定部（ボルト２５）の間を電気的に絶縁するための仕切壁２６ａ，２６ｂ，２６ｃが設けられている。
【００３７】
ここで、ステータ１の径方向外側に突出するＵ相，Ｖ相，Ｗ相の各接続端５Ｅｕ，５Ｅｖ，５Ｅｗは、ステータ１の軸方向に屈曲して延出する給電端子７Ｕ，７Ｖ，７Ｗを介して端子台３のベース壁２２上で対応するバスバーにボルト結合されるが、中点連結部１８は、いずれにも固定されずに、端子台３の外側壁２３に囲まれた空間部内に突出している。具体的には、中点連結部１８は、端子台３の外側壁２３と仕切壁２６ｃとに囲まれ、端子台固定用のボルト２５の配置される空間部内で、ボルト２５の頭部と軸方向で離間する位置に突出している。したがって、中点連結部１８は、ステータコア２の径方向外側の、ボルト２５の設置部と円周方向で重なり、かつ軸方向で離間する位置において、端子台３の内側に突出している。
【００３８】
次に、上記のように構成されたステータ１の組み付け方法について、図１３〜図１５を参照して説明する。
【００３９】
最初に、図１３（Ａ）に示すように、例えば、コイル導線５の給電側の引き出し部５Ｄｕを始端とし、中性点側の引き出し部５Ｄｎを終端として、一つ目の分割コア片８−１のコイル巻回部１０ａに（図６参照。）対してコイル導線５の巻回を行う。このとき、コイル導線５の給電側の引き出し部５Ｄｕと中性点側の引き出し部５Ｄｎは、図５，図６に示す引き出し溝１６ｕと１６ｎを通して分割コア片８−１の案内溝１５ｕ，１５ｎ側に引き入れる。
【００４０】
各案内溝１５ｕ，１５ｎ内に引き入れられた引き出し部５Ｄｕ，５Ｄｎは、対応する案内溝１５ｕ，１５ｎに沿わせて僅かに引き回され、各案内溝１５ｕ，１５ｎ内の特定の引き出し位置で径方向外側に略直角に曲げられて引き出される。この図示の例の場合、引き出し部５Ｄｕは、図中右端側から案内溝１５ｕ内を左方向に沿わせた後に、図中右側寄りの特定の引き出し位置で接続端５Ｅｕとして径方向外側に曲げられ、引き出し部５Ｄｎは、図中左端側から案内溝１５ｎ内を右方向に沿わせた後に、図中左側寄りの特定の引き出し位置で径方向外側に曲げられている。
【００４１】
次に、図１３（Ｂ）に示すように、一つ目の分割コア片８−１と同様に二つ目の分割コア片８−２のコイル巻回部１０ａ（図６参照。）に対してコイル導線５の巻回を行い、コイル導線５の給電側の引き出し部５Ｄｖと中性点側の引き出し部５Ｄｎを、図５，図６に示す引き出し溝１６ｖと１６ｎを通して分割コア片８−２の案内溝１５ｖ，１５ｎ側に引き入れる。
この状態で二つ目の分割コア片８−２は、一つ目の分割コア片８−１の図示右側に配置され、案内溝１５ｖ内に引き入れられた引き出し部５Ｄｖは、その案内溝１５ｖに沿わせて一つ目の分割コア片８−１方向に引き回され、案内溝１５ｖ内の特定の引き出し位置で接続端５Ｅｖとして径方向外側に略直角に曲げられる。また、案内溝１５ｎ内に引き入れられた引き出し部５Ｄｎは、一つ目の分割コア片８−１の案内溝１５ｎ内を引き回され、一つ目の分割コア片８−１上の特定の引き出し位置で径方向外側に略直角に曲げられる。
【００４２】
この後、図１３（Ｃ）に示すように、二つ目の分割コア片８−２と同様に三つ目の分割コア片８−３のコイル巻回部１０ａ（図６参照。）に対してコイル導線５の巻回を行い、コイル導線５の給電側の引き出し部５Ｄｗと中性点側の引き出し部５Ｄｎを、図５，図６に示す引き出し溝１６ｗと１６ｎを通して分割コア片８−３の案内溝１５ｗ，１５ｎ側に引き入れる。
三つ目の分割コア片８−３は、この状態で二つ目の分割コア片８−２のさらに図示右側に配置され、案内溝１５ｗ内に引き入れられた引き出し部５Ｄｗは、案内溝１５ｗに沿わせて二つ目の分割コア片８−２方向に引き回され、案内溝１５ｗ内の特定の引き出し位置で接続端５Ｅｗとして径方向外側に略直角に曲げられる。図１３（Ｃ）の例の場合、引き出し部５Ｄｗは、二つ目の分割片８−２上の案内溝１５ｗ内の図示右側の端部で略直角に曲げられている。一方、案内溝１５ｎ内に引き入れられた引き出し部５Ｄｎは、一つ目の分割コア片８−１の案内溝１５ｎまで引き回されて、一つ目の分割コア片８−１内の特定の引き出し位置で径方向外側に略直角に曲げられる。
【００４３】
この後には、図１３（Ｄ）に示すように、三つ目の分割コア片８−３と同様に四つ目の分割コア片８−４のコイル巻回部１０ａ（図６参照。）に対してコイル導線５の巻回を行い、コイル導線５の給電側の引き出し部５Ｄｗと中性点側の引き出し部５Ｄｎを、三つ目と同様に分割コア片８−４の案内溝１５ｗ，１５ｎ側に引き入れる。
四つ目の分割コア片８−４は、この状態で一つ目の分割コア片８−１の図示左側に配置され、案内溝１５ｗ内に引き入れられた引き出し部５Ｄｗは、一つ目の分割コア片８−１と二つ目の分割コア片８−２の案内溝１５ｗ内を引き回され、二つ目の分割コア片８−２上の案内溝ｗ内の特定の引き出し位置で接続端５Ｅｗとして径方向外側に略直角に曲げられる。また、案内溝１５ｎ内に引き入れられた引き出し部５Ｄｎは、一つ目の分割コア片８−１上の案内溝１５ｎ内の特定の引き出し位置まで引き回され、そこで径方向外側に略直角に曲げられる。
【００４４】
以下、同様に、例えば、図１４に数字を確固に入れて示したような順序で、残余の分割コア片８に対してコイル導線５の巻回と引き回しが行われる。
このようにして分割コア片８に対するコイル導線５の巻回と引き回しが順次行われると、隣接する分割コア片８同士がコイル導線５の引き回し部によって相互に拘束されることになる。ただし、図１４に示す順序で分割コア片８を組み付けてゆくと、（１１）番目に組み付けられる分割コア片８と、（１２）番目に組み付けられる分割コア片８は相互に拘束されないことになるが、これらの分割コア片８は逆側で隣接する他の分割コア８によって拘束されているため、組み付け後に脱落する心配はない。
【００４５】
こうして、組み付けられた分割コア片８の環状のブロックは、図１５に示すように略円筒状のホルダ６内に圧入され、Ｕ，Ｖ，Ｗの各相の引き出し端はまとめられて対応する給電端子７Ｕ，７Ｖ，７Ｗに結合され、中性点側の引き出し端は、前述のヒュージング処理によって結束される。
なお、分割コア片８の組み付け順序は、図１４に示すものに限らず、図１４中の（１），（２），（３）の順序以外は適宜変更することが可能である。
【００４６】
また、各分割コア片８の案内溝１５ｎ，１５ｕ，１５ｖ，１５ｗ上でのコイル導線５の引き回しの向きも適宜変更することが可能であるが、図１１に示すように、特に、コイル導線５の中性点側の引き出し部５Ｄｎに関しては、中性点側の案内溝１５ｎの成す環状の溝上での引き回し長さが短くなる向きに引き回すことが望ましい。この実施形態では、図１１に示すように、中性点側の引き出し部５Ｄｎの引き出し位置（中点連結部１８）を中心として、右側に配置される６つ（半分の数）の分割コア片８と、左側に配置される６つ（半分の数）の分割コア片８の引き出し部５Ｄｎの引き回し向きが逆向きに設定されている。このため、分割コア片８の案内溝１５ｎ内に収容されるコイル導線の数は最大６つに抑えられている。
【００４７】
以上のようなこのステータの組み付け方法においては、一つ目の分割コア片８−１に対して、コイル導線５の巻回と、給電側の引き出し部５Ｄｕの引き回しと、中性点側の引き出し部５Ｄｎの引き回しを行った後に、二つ目以降の分割コア片８−２，８−３…に対して、コイル導線５の巻回とともに、既にコイル導線５の巻回と引き回しを完了している分割片８−１等に跨る引き出し部５Ｄｎ（５Ｄｕ，５Ｄｖ，５Ｄｗ）の引き回しを行うため、特別な部品の追加や煩雑な作業を要することなく、複数の分割コア片８の組み付けとコイル導線の引き回しを容易に、かつ確実に行うことができる。
【００４８】
特に、この実施形態では、コイル導線５として平角線が用いられているため、コイル導線５を各分割コア片８上のコイル巻回部１０ａや案内溝１５ｎ，１５ｕ，１５ｖ，１５ｗ内に隙間なく効率良く配置することができるうえ、コイル導線５の引き出し部５Ｄｎ，５Ｄｕ，５Ｄｖ，５Ｄｗを案内溝１５ｎ，１５ｕ，１５ｖ，１５ｗの内部から径方向外側に容易に、かつ正確に屈曲させることができる。
【００４９】
さらに、この実施形態のように、コイル導線５の中性点側の引き出し部５Ｄｎが、中性点側の案内溝１５ｎの成す環状の溝上での引き回し長さが短くなる向きに引き回すようにした場合には、引き出し部５Ｄｎの長さを短くすることができるうえ、案内溝１５ｎ内での引き出し部５Ｄｎの重なり量を少なくすることができる。このため、案内溝１５ｎの深さを浅くしてインシュレータ１０の製造を容易化することができるとともに、ステータ１の円周上の重量バランスを良好にすることもできる。
【００５０】
なお、この発明は上記の実施形態に限定されるものではなく、その要旨を逸脱しない範囲で種々の設計変更が可能である。
【符号の説明】
【００５１】
５…コイル導線
５Ｄｕ，５Ｄｖ，５Ｄｗ…引き出し部（給電側の引き出し部）
５Ｄｎ…引き出し部（中性点側の引き出し部）
８…分割コア片
１０ａ…コイル巻回部
１５ｕ，１５ｖ，１５ｗ…案内溝（給電側の導線案内溝）
１５ｎ…案内溝（中性点側の導線案内溝）
【図１】
2013110889.tif 000003
【図２】
2013110889.tif 000004
【図３】
2013110889.tif 000005
【図４】
2013110889.tif 000006
【図５】
2013110889.tif 000007
【図６】
2013110889.tif 000008
【図７】
2013110889.tif 000009
【図８】
2013110889.tif 000010
【図９】
2013110889.tif 000011
【図１０】
2013110889.tif 000012
【図１１】
2013110889.tif 000013
【図１２】
2013110889.tif 000014
【図１３】
2013110889.tif 000015
【図１４】
2013110889.tif 000016
【図１５】
2013110889.tif 000017